(57)【要約】【課題】部品点数を低減すると同時に、正立状態において１粒の粒状物を他の粒状物から分離した状態で計量室から取り出すことができる粒状物計量容器を提供する。【解決手段】本発明に係る粒状物計量容器１は、容器本体部材２０及び蓋部材３０の枠状体３１のうちの一方に、計量室Ｒの底面Ｒ５を形成する底板３７と、該底板３７の後端縁に繋がり後方に向かって下方に傾斜する傾斜板３８とを一体に形成し、蓋体３３を閉じた状態の容器１を前方に傾けることで、粒状物Ｓが傾斜板３８上を計量室Ｒに向かって滑り落ち、次いで容器１を正立状態に戻すことで、１粒の粒状物Ｓを底板３７上に残しつつ、他の粒状物Ｓは傾斜板３８上を滑り落ちるようになっている。【選択図】図２
2015227189.tif 000002
【特許請求の範囲】
【請求項１】
底壁及び該底壁の外周縁から立ち上がる周壁を有すると供に上部開口を形成する容器本体部材と、前記上部開口を開閉する蓋部材とを備え、前記容器本体部材の内側に収容された複数の粒状物のうち、１粒のみを収容可能な計量室を設けてなる粒状物計量容器において、
前記周壁は、互いに対向する前側側壁及び後側側壁と、これら側壁の左右両端間をそれぞれ繋ぐ右側側壁及び左側側壁とを有し、
前記蓋部材は、前記周壁の上端縁に取り付けられた枠状体と、該枠状体にヒンジを介して連結し、前記上部開口を開閉可能な蓋体とを有し、
前記容器本体部材及び前記蓋部材の枠状体のうちの一方に、前記計量室の底面を形成する底板と、該底板の後端縁に繋がり後方に向かって下方に傾斜する傾斜板とを一体に形成し、
前記蓋体を閉じた状態の前記容器を前方に傾けることで、前記粒状物が前記傾斜板上を前記計量室に向かって滑り落ち、次いで前記容器を正立状態に戻すことで、１粒の前記粒状物を前記底板上に残しつつ、他の粒状物は前記傾斜板上を滑り落ちるようになっていることを特徴とする粒状物計量容器。
【請求項２】
前記蓋部材の枠状体に前記底板と前記傾斜板とを一体に形成すると共に、前記傾斜板を前記底板に対して回動可能とし、
前記容器を後方に傾けて前記傾斜板を後方に回動させることで、前記傾斜板の前側に収容されていた前記粒状物を、前記傾斜板の後側に移動させられるようになっている、請求項１に記載の粒状物計量容器。
【請求項３】
前記底板の後端縁には、該後端縁に沿って上方に突出する突出部が形成されている、請求項１又は２に記載の粒状物計量容器。
【発明の詳細な説明】
【技術分野】
【０００１】
本発明は、上部開口を形成する容器本体部材と、前記上部開口を開閉する蓋部材とを備え、容器本体部材の内側に収容された複数の粒状物のうち、１粒のみを収容可能な計量室を設けてなる粒状物計量容器に関し、特に、部品点数を低減すると同時に、正立状態において１粒の粒状物を他の粒状物から分離した状態で計量室から取り出せるようにしようとするものである。
【背景技術】
【０００２】
従来、例えば、カプセル状乃至固形状の洗剤や、食品などの錠剤（固形物）といった粒状物を収容する容器において、計量室を設け、該計量室から粒状物を１粒ずつ取り出せるようにした粒状物計量容器が知られている。このような容器として、例えば特許文献１に記載されるものでは、該文献の図１及び図６に記載されるように、底壁及び該底壁の外周縁から立ち上がる周壁を有すると供に上部開口を形成する容器本体部材と、前記上部開口を開閉する蓋部材に加えて、粒状物１粒のみを収容可能な計量室を形成する内蓋部材が設けられており、容器を傾け計量室に粒状物１粒が投入された状態で蓋部材を開き、該計量室から粒状物を取り出すようになっている。
【先行技術文献】
【特許文献】
【０００３】
【特許文献１】特開２００４−１７５４２６号公報
【発明の概要】
【発明が解決しようとする課題】
【０００４】
しかしながら、特許文献１に記載されるような従来の粒状物計量容器では、容器本体部材、蓋部材及び内蓋部材という３パーツ構成となっており、さらなる部品点数の低減が望まれる。また、容器を傾けた不安定な状態で粒状物を取り出す必要がある上、計量室から粒状物１粒を指で摘んで取り上げる際に、次なる粒状物が計量室内に投入され、該粒状物にも指が触れてしまうおそれがあった。
【０００５】
本発明は、前記の現状に鑑み開発されたもので、部品点数を低減すると同時に、正立状態において１粒の粒状物を他の粒状物から分離した状態で計量室から取り出すことができる粒状物計量容器を提供することを目的とする。
【課題を解決するための手段】
【０００６】
すなわち、本発明の要旨構成は以下のとおりである。
１．底壁及び該底壁の外周縁から立ち上がる周壁を有すると供に上部開口を形成する容器本体部材と、前記上部開口を開閉する蓋部材とを備え、前記容器本体部材の内側に収容された複数の粒状物のうち、１粒のみを収容可能な計量室を設けてなる粒状物計量容器において、
前記周壁は、互いに対向する前側側壁及び後側側壁と、これら側壁の左右両端間をそれぞれ繋ぐ右側側壁及び左側側壁とを有し、
前記蓋部材は、前記周壁の上端縁に取り付けられた枠状体と、該枠状体にヒンジを介して連結し、前記上部開口を開閉可能な蓋体とを有し、
前記容器本体部材及び前記蓋部材の枠状体のうちの一方に、前記計量室の底面を形成する底板と、該底板の後端縁に繋がり後方に向かって下方に傾斜する傾斜板とを一体に形成し、
前記蓋体を閉じた状態の前記容器を前方に傾けることで、前記粒状物が前記傾斜板上を前記計量室に向かって滑り落ち、次いで前記容器を正立状態に戻すことで、１粒の前記粒状物を前記底板上に残しつつ、他の粒状物は前記傾斜板上を滑り落ちるようになっていることを特徴とする粒状物計量容器。
【０００７】
２．前記蓋部材の枠状体に前記底板と前記傾斜板とを一体に形成すると共に、前記傾斜板を前記底板に対して回動可能とし、
前記容器を後方に傾けて前記傾斜板を後方に回動させることで、前記傾斜板の前側に収容されていた前記粒状物を、前記傾斜板の後側に移動させられるようになっている、前記１の粒状物計量容器。
【０００８】
３．前記底板の後端縁には、該後端縁に沿って上方に突出する突出部が形成されている、前記１又は２の粒状物計量容器。
【発明の効果】
【０００９】
本発明によれば、容器本体部材と蓋部材の２パーツによって容器を構成することができるため、部品点数を低減することができる。また、蓋体を閉じた状態の容器を前方に傾けることで、粒状物が傾斜板上を計量室に向かって滑り落ち、次いで容器を正立状態に戻すことで、１粒の粒状物を計量室の底板上に残しつつ、他の粒状物は傾斜板上を滑り落ちるようになっているので、容器の正立状態において１粒の粒状物を他の粒状物から分離した状態で計量室から取り出すことができる。
【００１０】
したがって、本発明によれば、部品点数を低減すると同時に、正立状態において１粒の粒状物を他の粒状物から分離した状態で計量室から取り出すことができる粒状物計量容器を提供することができる。
【図面の簡単な説明】
【００１１】
【図１】本発明の一実施形態に係る粒状物計量容器を示す平面図であり、計量後に開蓋した状態を示す。
【図２】図１の粒状物計量容器の一部断面右側面図であり、計量後の閉蓋状態を示す。
【図３】図１の粒状物計量容器の計量の要領を示す一部断面右側面図であり、（ａ）は計量前の閉蓋した正立状態、（ｂ）は（ａ）の状態から容器を前方に傾けた状態、（ｃ）は（ｂ）の状態から正立状態に戻し、計量が完了した状態をそれぞれ示す。
【図４】図１の粒状物計量容器の傾斜板の前側から後側に粒状物を移動させる要領を示す一部断面右側面図であり、（ａ）は粒状物の移動前の閉蓋した正立状態、（ｂ）は（ａ）の状態から容器を後方に傾けた状態、（ｃ）は（ｂ）の状態から正立状態に戻した状態をそれぞれ示す。
【図５】本発明の他の実施形態に係る粒状物計量容器を示す右側面図である。
【図６】図５の粒状物計量容器を示す右側面から見た一部断面図である。
【発明を実施するための形態】
【００１２】
以下、図１〜図４を参照して、本発明の一実施形態に係る粒状物計量容器１について詳細に例示説明する。
なお、本明細書において、上方とは、底壁２１から蓋体３３に向かう方向を意味し、下方とはその反対方向を意味するものとする。また、前方とは、計量室Ｒの底板３７から見て、傾斜板３８が繋がる側を後方とし、その反対側を意味するものとする。また、左右方向とは、前方から後方を見たときの左右方向を意味するものとする。
【００１３】
図１及び図２に示すように、本実施形態に係る粒状物計量容器１（以下、容器１ともいう）は、容器本体部材２０と、蓋部材３０とを備え、例えば、カプセル状乃至固形状の洗剤や、食品などの錠剤（固形物）といった複数の粒状物Ｓを容器本体部材２０の内側に収容している。なお、図１及び図２は、後述する計量室Ｒに１粒の粒状物Ｓを収容した計量後の状態を示している。また、容器本体部材２０及び蓋部材３０は、例えば、合成樹脂製とすることができる。
【００１４】
容器本体部材２０は、略矩形状をなす底壁２１及び該底壁２１の外周縁から立ち上がる周壁２２を有すると供に上部開口２３を形成している。周壁２２は、互いに対向する前側側壁２２ａ及び後側側壁２２ｂと、これら側壁２２ａ，２２ｂの左右両端間をそれぞれ繋ぐ右側側壁２２ｃ及び左側側壁２２ｄとを有している。
【００１５】
蓋部材３０は、周壁２２の上端縁に嵌合により取り付けられた枠状体３１と、該枠状体３１にヒンジ３２を介して連結し、上部開口２３を開閉可能な蓋体３３とを有している。蓋体３３は、上部開口２３を閉鎖した状態（閉蓋状態）において、後述する計量室Ｒの天面Ｒ１を形成する天壁３３ａを有している。
【００１６】
容器１には、容器本体部材２０の内側に収容された複数の粒状物Ｓのうち、１粒のみを収容可能な計量室Ｒが設けられている。計量室Ｒは、本実施形態では、蓋部材３０の枠状体３１に一体に形成された前板３４、右板３５、左板３６及び底板３７によって、それぞれ、その前面Ｒ２、右側面Ｒ３、左側面Ｒ４及び底面Ｒ５が形成されている。
【００１７】
計量室Ｒの底面Ｒ５を形成する底板３７の後端縁には、後方に向かって下方に傾斜する傾斜板３８が繋がっている。なお、傾斜板３８も、枠状体３１に一体に形成されている。また、底板３７の後端縁には、該後端縁に沿って上方に突出する突出部としての屈曲部３９が形成されており、計量室Ｒに粒状物Ｓが収容された際に、該粒状物Ｓが傾斜板３８側に脱落するのを当該屈曲部３９によって防止できるようになっている。また、傾斜板３８は、底板３７の後端縁（屈曲部３９）を中心に後方へ回動可能に形成されている。傾斜板３８の下端は、容器本体部材２０の底壁２１に形成された、左右方向に沿って上方に突出する屈曲部２１ａに当接することで、傾斜板３８のさらなる前方への回動が阻止されている。
【００１８】
かかる構成になる粒状物計量容器１によれば、図３に示す要領で計量を行うことができる。すなわち、図３（ａ）に示すような閉蓋状態した正立状態から、図３（ｂ）に示すように、容器１を前方に傾けることで、粒状物Ｓが傾斜板３８上を計量室Ｒに向かって滑り落ちる。次いで、図３（ｃ）に示すように、容器１を正立状態に戻すことで、１粒の粒状物Ｓを底板３７上に残しつつ、他の粒状物Ｓは傾斜板３８上を滑り落とさせることができる。したがって、この状態で蓋体３３を開けば、容器１の正立状態において１粒の粒状物Ｓを他の粒状物Ｓから分離した状態で計量室Ｒから取り出すことができる。
【００１９】
なお、粒状物Ｓを、液体洗剤を水溶性のカプセルに封入したカプセル状の粒状物Ｓとした場合には、１粒の粒状物Ｓを摘んで計量室Ｒから取り出す際に、分離された他の粒状物Ｓへの指の接触が回避される。また、傾斜板３８は、計量室Ｒの底板３７よりも薄肉に形成され可撓性が高められているため、計量時に粒状物Ｓが傾斜板３８上をすべり落ちる際に、粒状物Ｓへの衝撃を緩和することができる。
【００２０】
また、本実施形態では、粒状物Ｓの残量が減り、図４（ａ）に示すように、傾斜板３８の後側に収容される粒状物Ｓが無くなった、或いは少なくなった際には、図４（ｂ）に示すように、容器１を後方に傾けて傾斜板３８を後方に回動させることで、傾斜板３８の前側に収容されていた粒状物Ｓを、傾斜板３８の後側に移動させることができる。この状態で、図４（ｃ）に示すように、容器１を正立状態に戻せば、傾斜板３８も元の位置に戻り、前述した要領で粒状物Ｓの計量、取り出しが可能となる。このように、本実施形態では、傾斜板３８を蓋部材３０側に一体に形成し、計量室Ｒの底板３７に対して回動可能に構成したので、傾斜板３８の前側にも粒状物Ｓを収容することができる。
【００２１】
次に、図５〜図６を参照して、本発明の他の実施形態に係る粒状物計量容器１００について詳細に例示説明する。
本実施形態に係る粒状物計量容器１００（以下、容器１００ともいう）は、前述した実施形態では蓋部材３０側に一体に形成していた計量室Ｒの底板３７と傾斜板３８とを、容器本体部材２０側に一体に形成した点で構成が異なる他は、同一の構成になっている。
【００２２】
すなわち、本実施形態では、図５及び図６に示すように、容器本体部材２０は、底壁２１に一体に計量室Ｒの底板２１ｂと傾斜板２１ｃとが形成されている。底板２１ｂの前端縁は、立板２１ｄによって底壁２１の底部２１ｅに繋がっている。底板２１ｂの前端と前側側壁２２ａとの間の隙間Ｖは、粒状物Ｓが該隙間Ｖの内部に脱落しない程度の大きさに設定することが好ましい。計量室Ｒの底板２１ｂの後端縁には、該後端縁に沿って上方に突出する突出部としての突条２１ｆが形成されており、計量室Ｒに粒状物Ｓが収容された際に、該粒状物Ｓが傾斜板２１ｃ側に脱落するのを当該突条２１ｆによって防止できるようになっている。
【００２３】
かかる構成になる粒状物計量容器１００によれば、前述した実施形態の場合と同様の要領にて粒状物Ｓを計量し、取り出すことができる。すなわち、閉蓋状態した正立状態から、容器１００を前方に傾けることで、粒状物Ｓが傾斜板２１ｃ上を計量室Ｒに向かって滑り落ち、次いで、容器１００を正立状態に戻すことで、図６において二点鎖線で示すように１粒の粒状物Ｓを底板２１ｂ上に残しつつ、他の粒状物Ｓは傾斜板２１ｃ上を滑り落とさせることができる。したがって、この状態で蓋体３３を開けば、容器１００の正立状態において１粒の粒状物Ｓを他の粒状物Ｓから分離した状態で計量室Ｒから取り出すことができる。
【００２４】
前述したところは、本発明の一実施形態を示したにすぎず、特許請求の範囲において、種々の変更を加えることができる。例えば、容器１，１００は、容器本体部材２０と、蓋部材３０との２パーツで構成されるものとして説明したが、シュリンクラベル等の包装材等をさらに備えることを排除するものではない。また、底板３７，２１ｂを前方に向かって下方に傾斜させたり、底板３７，２１ｂに凹部を形成してもよく、このような構成とした場合には、突出部（屈曲部３９，突条２２ｆ）は必ずしも形成する必要はない。
【符号の説明】
【００２５】
１，１００  粒状物計量容器
２０  容器本体部材
２１  底壁
２１ａ  屈曲部
２１ｂ  底板
２１ｃ  傾斜板
２１ｄ  立板
２１ｅ  底部
２１ｆ  突条（突出部）
２２  周壁
２２ａ  前側側壁
２２ｂ  後側側壁
２２ｃ  右側側壁
２２ｄ  左側側壁
２３  上部開口
３０  蓋部材
３１  枠状体
３２  ヒンジ
３３  蓋体
３３ａ  天壁
３４  前板
３５  右板
３６  左板
３７  底板
３８  傾斜板
３９  屈曲部（突出部）
Ｓ  粒状物
Ｒ  計量室
Ｒ１  天面
Ｒ２  前面
Ｒ３  右側面
Ｒ４  左側面
Ｒ５  底面
Ｖ  隙間
【図１】
2015227189.tif 000003
【図２】
2015227189.tif 000004
【図３】
2015227189.tif 000005
【図４】
2015227189.tif 000006
【図５】
2015227189.tif 000007
【図６】
2015227189.tif 000008